(57)【要約】【課題】  記憶領域の利用の効率化を図った録画装置を提供する。【解決手段】  録画装置が、記憶装置の記憶領域を区分する領域区分手段と、区分された記憶領域それぞれの記憶容量を記憶する記憶領域区分テーブルと、録画予約の情報を入力する録画予約情報入力部と、前記録画予約情報入力部で入力された録画予約情報および前記記憶領域区分テーブルに基づき、録画に用いる記憶領域を選択する領域選択部と、領域選択部で選択された区分領域への録画を行う録画部と、を具備する。記憶領域を区分しておき、この区分された領域に対応して録画を行う。このため、記憶装置の記憶領域を効率的に利用できる。【選択図】図１
2006019995.tif 000002
【特許請求の範囲】
【請求項１】
記憶装置の記憶領域を区分する領域区分手段と、
前記区分された記憶領域それぞれの記憶容量を記憶する記憶領域区分テーブルと、
録画予約の情報を入力する録画予約情報入力部と、
前記録画予約情報入力部で入力された録画予約情報および前記記憶領域区分テーブルに基づき、録画に用いる記憶領域を選択する領域選択部と、
前記領域選択部で選択された記憶領域への録画を行う録画部と、
を具備することを特徴とする録画装置。
【請求項２】
前記録画予約情報入力部で入力される録画予約情報が、録画時間に関する録画時間情報を含み、
前記領域選択部が、前記録画予約情報に含まれる録画時間情報に基づいて、記憶領域を選択する
ことを特徴とする請求項１記載の録画装置。
【請求項３】
前記記憶領域区分テーブルが、保存された録画の消去を制限するか否かに係る保存設定情報を含み、
前記録画予約情報入力部で入力される録画予約情報が、前記保存設定情報を含み、
前記領域選択部が、前記録画予約情報に含まれる保存設定情報に基づいて、記憶領域を選択する
ことを特徴とする請求項１記載の録画装置。
【請求項４】
区分された記憶領域を有する記憶装置と、
前記区分された記憶領域それぞれの記憶容量を記憶する記憶領域区分テーブルと、
録画予約の情報を入力する録画予約情報入力部と、
前記録画予約情報入力部で入力された録画予約情報および前記記憶領域区分テーブルに基づき、録画に用いる記憶領域を選択する領域選択部と、
前記領域選択部で選択された記憶領域への録画を行う録画部と、
を具備することを特徴とする録画装置。
【発明の詳細な説明】
【技術分野】
【０００１】
本発明は、画像を録画する録画装置に関する。
【背景技術】
【０００２】
ハードディスク等の記憶装置に録画を行う録画装置が用いられている。
なお、所望のジャンルの放送番組を記憶する技術が公開されている（特許文献１参照）。
【特許文献１】特開２００３−１８９２１３公報
【発明の開示】
【発明が解決しようとする課題】
【０００３】
しかしながら、ハードディスク等の記憶装置に効率よく録画を行うのは必ずしも容易ではない。例えば、ハードディスクへの録画、消去を繰り返し行うと、ハードディスクの記憶領域が断片化し、連続した空き領域が少なくなる。このため、複数の空き領域に区分してハードディスクへの録画を行う必要が生じ、速やかな録画、再生の支障となる可能性がある。
上記に鑑み、本発明は記憶領域の利用の効率化を図った録画装置を提供することを目的とする。
【課題を解決するための手段】
【０００４】
上記目的を達成するために、本発明に係る録画装置は、記憶装置の記憶領域を区分する領域区分手段と、前記区分された記憶領域それぞれの記憶容量を記憶する記憶領域区分テーブルと、録画予約の情報を入力する録画予約情報入力部と、前記録画予約情報入力部で入力された録画予約情報および前記記憶領域区分テーブルに基づき、録画に用いる記憶領域を選択する領域選択部と、領域選択部で選択された記憶領域への録画を行う録画部と、を具備することを特徴とする。
【発明の効果】
【０００５】
本発明によれば、記憶領域の利用の効率化を図った録画装置を提供できる。
【発明を実施するための最良の形態】
【０００６】
以下、図面を参照して、本発明の実施の形態を詳細に説明する。
図１は、本発明の一実施形態にかかる録画装置１００の構成を示すブロック図である。
同図に示すように、録画装置１００は、録画装置１００全体の制御を行うＣＰＵ（Central Processing Unit)１、ＣＰＵ１の作業領域として用いられるメインメモリ２、プログラムやデータを読み書き可能な記憶装置であるＨＤＤ（Hard Disk Drive（ハードディスク装置、磁気記憶装置）)などの記憶装置３、デジタル放送信号を受信するチューナ４、チューナ４で受信したデジタル放送信号を復号するデコーダ５、デコーダ５によって復号されたデータを記憶装置３に効率的に記憶できるファイル形式であるＭＰＥＧ（Moving Picture Experts Group）２の圧縮符号化データに符号化するＭＰＥＧエンコーダ６とを備える。ＭＰＥＧエンコーダ６によって符号化されたデータは、ＣＰＵ１の制御により、システムバス７を介してメインメモリ２に蓄積され、ブロック単位にまとめられて記憶装置３に記憶される。
【０００７】
また、録画装置１００は、ＣＰＵ１の制御により、システムバス７を通じて記憶装置３から読み出されたデータを受け取り、モニタ８にて表示可能な形式のデータに復号するＭＰＥＧデコーダ９を有する。さらに、システムバス７には、ネットワークとの接続を処理するネットワーク接続装置（以下「ＮＩＣ」と呼ぶ。）１０が接続されている。
【０００８】
ここで、ＣＰＵ１は、記憶装置３の記録領域を区分する領域区分手段、録画に用いる記憶領域を選択する領域選択部、記憶領域への録画を行う録画部として機能する。また、録画装置１００は、キーボード等の図示しない入力手段を有し、この入力手段が録画予約情報入力部として機能する。
記憶装置３の記憶領域は複数の領域に区分される。また、記憶装置３には、区分された記憶領域それぞれに関する設定情報等が記憶領域区分テーブルとして記憶される。なお、この詳細は後述する。
【０００９】
図２は、録画装置１００の動作手順の概略を表すフロー図である。
Ａ．記憶領域の区分
ＨＤＤへの録画を行う前に、ＨＤＤの記憶領域の区分、いわゆるパーティションの作成が行われる。ＨＤＤの記憶領域を有効に利用して録画を行うためである。
（１）記憶領域区分情報の入力（ステップＳ１１）
ＨＤＤの記憶領域の区分に際して、ユーザが記憶領域の大きさを指定するための容量設定情報等を含む記憶領域区分情報が入力される。この記憶領域区分情報には、必要に応じて保存設定情報が含まれる。
容量設定情報として、例えば、総録画時間、画質設定情報が挙げられる。これに替えて、バイト等で記憶容量を直接的に指定することも可能である。この容量設定情報に基づいて、ステップＳ１２で記憶領域が区分、確保される。
【００１０】
保存設定情報は、録画ファイルをどの程度の期間保存するかの設定するための情報を意味し、例えば、長期保存、短期保存の設定の区分である。
この保存の長期、短期は、例えば、録画する番組の全シリーズを完了するまでよりも長い期間録画ファイルを保存するか（長期保存）、次の録画が開始する場合には消去してよい期間程度保存するか（短期保存）で区別できる。ユーザがこのどちらに該当するかを判断し、長期保存、短期保存のいずれかを指定するための入力を行う。
保存設定は、例えば、ユーザによる消去が自由にできるか否かの区分に用いられる。例えば、長期保存の場合にはユーザがそのファイルの消去、重ね書きを行うための入力時に警告が表示される。即ち、長期保存、短期保存の区別は、プロテクトの有無（保存された録画の消去の制限の有無）として位置づけることができる。
【００１１】
（２）記憶領域の区分（ステップ１２）
ステップＳ１１でのユーザの入力に従い、ＨＤＤの記憶領域が区分される。即ち、ユーザが入力した容量設定情報（画質設定、総録画時間等）に基づき、録画に必要な記憶容量が算出され、この算出結果に基づいて、ＨＤＤのパーティションが決定、実行される。
【００１２】
図３は、記憶装置３（ＨＤＤ）の区分された記憶領域を表す模式図である。
ＨＤＤの記憶領域Ａｒに、録画用パーティションＰ６０Ａ、Ｐ６０Ｂ、Ｐ３０Ａ、Ｐ３０Ｂが作成されている。また、残りのパーティションとして、録画用パーティションＰｘがある。
録画用パーティションＰ６０Ａ、Ｐ６０Ｂはそれぞれ、「標準画質、録画時間３０時間」に対応し、録画用パーティションＰ３０Ａ、Ｐ３０Ｂはそれぞれ、「高画質、録画時間１２時間」に対応する。録画用パーティションＰｘは、例えば、通常の録画（あらゆる番組が混在して録画される）に利用できる。
録画用パーティションＰ６０Ａ、Ｐ６０Ｂ、Ｐ３０Ａ、Ｐ３０Ｂは、保存設定が長期で、かつシリーズ番組等ある程度まとまった記憶容量が必要な動画を録画する専用パーティションとして設定できる。また、録画用パーティションＰｘは、番組一般を録画する汎用パーティションである。
【００１３】
図４は、区分された記憶領域の状態を表す記憶領域区分テーブルの一例を表す模式図である。
領域を互いに識別する領域識別情報（ＩＤ）、この領域の記憶容量、この領域内の空き領域の容量、保存設定、録画設定が表される。これらＩＤ１〜５が図３の録画用パーティションＰ６０Ａ、Ｐ６０Ｂ、Ｐ３０Ａ、Ｐ３０Ｂ、Ｐｘに相当する。
以上の記憶領域の区分は、全くの未録画状態で行うのが便宜であるが、ある程度録画を行った状態で行っても差し支えない。
【００１４】
Ｂ．録画予約・録画
記憶領域が区分されたら、録画予約および録画が行われる。
（１）録画予約情報の入力（ステップＳ１３）
録画予約のための入力を行う。
ユーザはテレビ番組表の情報に従って録画したい番組の録画予約を実施する。ユーザは録画する番組情報（チャンネル、録画開始日（毎週○曜日）、録画開始時刻、録画終了時刻）、録画画質、保存設定を指定する。番組情報については、ＥＰＧやＧコードなどからの自動入力、ユーザによる手動入力、などいずれの手段を用いて入力してもよい。
図５（Ａ）〜（Ｃ）は、入力される録画予約情報の一例を表す模式図である。本図に示すように、録画予約情報は録画設定情報、画質設定情報、保存設定情報に区分することができる。
【００１５】
（２）録画予約領域の決定（ステップＳ１４）
入力された録画予約の情報に基づいて、録画用領域が決定される。
図６は、ステップＳ１４での録画用領域の決定手順の一例を表すフロー図である。
録画対象がシリーズ番組でないか、または保存設定が短期保存である場合には、汎用のパーティションである録画用パーティションＰｘに録画領域が決定される（ステップＳ２１〜Ｓ２３）。
【００１６】
シリーズ番組であるか否かは、録画時間が複数の時間に分散されているか否かによって決定できる。また、これに替えて、総録画時間が所定の値以上であるか否か（全録画に必要な記憶容量が所定の値以上であるか否か）によって決定することもできる。さらには、この両者いずれかが満足されるか否かによって決定することも可能である。
【００１７】
これに対して、録画対象がシリーズ番組であり、保存設定が長期保存であり、かつ全録画ファイルが対象の録画用領域に収まる場合に、専用のパーティションである録画用パーティション６０Ａ，６０Ｂ、Ｐ３０Ａ、３０Ｂのいずれかに、録画用パーティションＰｘに録画領域が決定される（ステップＳ２１、Ｓ２２，Ｓ２４，Ｓ２５）。
録画対象がシリーズ番組であり、保存設定が長期保存であるが、全録画ファイルが収まる録画用パーティションがない場合にユーザへの警告が発せられる（ステップＳ２６）。ユーザはこれに対して、複数の録画用パーティションの利用を許可する等の対応を行う。
【００１８】
ステップＳ２５において、複数の領域が該当する場合には、適宜の手段で領域を決定できる。
１）例えば、ユーザに選択のための入力を促しても良い。この場合には、例えば、図７に示すように、各領域の設定情報を画面に表示するとユーザの選択に便宜である。即ち、ステップＳ２１でユーザが入力した画質設定、および図４に示した記憶容量、空き領域から全録画時間および残録画時間を算出して表示する。図７では、全領域の情報を表しているが、選択可能な領域のみを表示させてもよい。
２）また、録画に必要な記憶容量と、領域の記憶容量とが一番近いものを自動的に選択させてもよい。
【００１９】
（３）録画（ステップＳ１５）
ステップＳ１４で決定された録画設定用領域に対して予約された録画のファイルが蓄積される。
【００２０】
（具体例）
以下、より具体的な説明を行う。
（１）例えば、ステップＳ１３で、録画設定：Ａ（１時間の連続ドラマを毎週１２週にわたって録画する）、画質設定：高画質、保存設定：長期保存の録画予約入力を行ったとする。
ステップＳ１４において、録画装置１００は、連続ドラマ１２回分をまとめて録画予約したことから、シリーズ予約と判断し、また全１２回分の録画ファイルのサイズがＰ６０Ａに収まることを確認し、本予約録画については録画用パーティションＰ６０Ａを占有的に使い、録画を実行すると決定する。
ステップＳ１５において、ステップＳ１４での決定により、指定された連続ドラマは録画用パーティションＰ６０Ａに録画蓄積されていく（録画用パーティションＰ６０Ａには本設定情報のドラマ以外は録画されない）。
【００２１】
（２）また、ステップＳ１３で、録画設定：Ｂ（３０分番組を月曜日から金曜日まで毎日録画かつこれを計１２週分実施予約）、画質設定：標準、保存設定：長期保存の予約入力を行ったとする。
ステップＳ１４において、３０分番組×５×１２週分をまとめて録画予約したことから、シリーズ予約と判断し、またこれら全ての録画ファイルが録画用パーティションＰ３０Ａに収まることを確認される。ステップＳ１５において、本予約録画については録画用パーティションＰ３０Ａを占有的に使用して録画を実行する。
【００２２】
（３）一方、１度限りのある番組を標準画質、保存無で録画予約した場合は、録画用パーティションＰ６０Ａ、Ｐ６０Ｂ、Ｐ３０Ａ、Ｐ３０Ｂ（専用パーティション）を利用せず、汎用録画向けパーティションである録画用パーティションＰｘを利用して録画を実行する。
【００２３】
本実施形態では、以下のような利益を享受することが可能である。
（１）一連のシリーズの番組を録画蓄積し、（それらをまとめて見る、あるいはまとめて外部の記憶媒体に記憶保存するなどの行為の後）一括して消去するような場合、これら消去対象となる番組がハードディスク領域に散らばっている状態ではなく、１つのパーティション内にまとめて収められているため、ハードディスク領域を無駄なく消去しまた再録画できることから、ハードディスクの断片化を防ぐことが可能となる。
１）ハードディスクの断片化を防ぐことができ、ハードディスク管理の負担を軽減しアプリケーションの高速化をはかることができる。
２）ハードディスク領域を特定録画用途向けに分割することにより、ある領域を使用中に他方の領域の断片化を解消することができる。
３）ハードディスク領域を特定用途向けに分割することにより、ハードディスクの断片化の影響を狭めることができる。またハードディスクがクラッシュした場合の影響を狭めることができる。
４）ハードディスク領域が１つの場合、複数の番組を連続的に録画していくため最初は効率的にハードディスク領域を使用していくことが可能であるが、その後番組単位の削除・新しい番組録画を繰り返していくことにより断片化が生じ、結果としてディスク領域に無駄が生じてしまう。
【００２４】
他方、ハードディスク領域を細分化し番組単位で１つの領域を使用する場合、必ず番組単位＝ハードディスク領域単位で削除することになり全く断片化は生じない、が番組時間は不定（１０分、３０分、６０分、など）のためハードディスク全体としては領域を最適に活用できない。
本実施形態では、（ホームサーバが得ることのできる）予約情報をもとに専用ハードディスク領域を使用するか、あるいは混在させるかを判断することによって上記２つの方法のメリットを受け継ぎ、デメリットを軽減するものである。
（２）パーティションが分割されていることにより、予約録画時刻・時間情報から該当パーティションが使われていない時間を求めて、この際にそのパーティションに録画されているコンテンツの消去やパーティション単位の初期化を実行する。
（３）ハードディスクがなんらかの原因によるクラッシュした場合、パーティションが分割されていることにより、その影響範囲を狭めることができる。
【００２５】
（その他の実施形態）
本発明の実施形態は上記の実施形態に限られず拡張、変更可能であり、拡張、変更した実施形態も本発明の技術的範囲に含まれる。
例えば、上記実施形態では、パーティションの設定時に保存設定の入力を行っていたが、この設定は録画予約の入力時にのみ行っても良い。また、これらの設定を適宜に変更することも可能である。
【図面の簡単な説明】
【００２６】
【図１】本発明の一実施形態にかかる録画装置の構成を示すブロック図である。
【図２】録画装置の動作手順の概略を表すフロー図である
【図３】記憶装置の区分された記憶領域を表す模式図である。
【図４】区分された記憶領域の状態を表す記憶領域区分テーブルの一例を表す模式図である。
【図５】入力される録画予約情報の一例を表す模式図である。
【図６】録画用領域の決定手順の一例を表すフロー図である。
【図７】各領域の設定情報の画面表示の一例を図である。
【符号の説明】
【００２７】
１００…録画装置、１…ＣＰＵ、２…メインメモリ、３…記憶装置（ＨＤＤ）、４…チューナ、５…デコーダ、６…エンコーダ、７…システムバス、８…モニタ、９…デコーダ、１０…ネットワーク接続部
【図１】
2006019995.tif 000003
【図２】
2006019995.tif 000004
【図３】
2006019995.tif 000005
【図４】
2006019995.tif 000006
【図５】
2006019995.tif 000007
【図６】
2006019995.tif 000008
【図７】
2006019995.tif 000009